(57)【要約】
【課題】　多方向可動踏み板において、踏み板を用いて運動を行う際に、様々な運動効果を得ることができ、使用者の購買意欲を増進させることができる多方向可動踏み板を提供することを目的とする。
【解決手段】　上記課題を解決するため、基座と、結合座と、受け座と、踏み板とを有し、上記基座は、１組の著地ロッドと柱体とからなり、上記柱体は、上記著地ロッド上に固定設置され、上記結合座は上記柱体上端に設置され、上端に上記受け座を設置可能であり、上記踏み板は上記受け座の上端面に固定設置され、上記結合座及び上記踏み板の間に連結される上記受け座のそれぞれの上記結合座及び上記踏み板との連結部分が弾力連結体により弾力連結され、垂直方向の左右昇降及び水平方向の時計、反時計方向の回転動作を行なうことが可能であり、弾力連結の反作用により回復力を具備する構成とされる。
【選択図】　図１
0003099434.tif 000002
【実用新案登録請求の範囲】
【請求項１】
　基座と、結合座と、受け座と、踏み板とを有し、上記基座は、１組の著地ロッドと柱体とからなり、上記柱体は、上記著地ロッド上に固定設置され、上記結合座は上記柱体上端に設置され、上端に上記受け座を設置可能であり、上記踏み板は上記受け座の上端面に固定設置され、
　上記結合座及び上記踏み板の間に連結される上記受け座のそれぞれの上記結合座及び上記踏み板との連結部分が弾力連結体により弾力連結され、垂直方向の左右昇降及び水平方向の時計、反時計方向の回転動作を行なうことが可能であり、弾力連結の反作用により回復力を具備することを特徴とする多方向可動踏み板。
【請求項２】
　上記弾力連結体は弾力性ロープでもよく、上記結合座上端面には間隔を開けて配列した上記弾力性ロープを貫通させる数個の貫通孔を有し、上記貫通孔に１つの上記弾力性ロープを上下交互に貫通させることにより、上記結合座の上端面に間隔を開けて配列した数個の逆Ｕ型の弾力性ループを有し、
　上記受け座が外周に間隔を開けて、数個の突起体を有し、各上記突起体にそれぞれ上記結合座上の各上記弾力性ループが掛けられることにより、上記結合座と連結されることを特徴とする請求項１記載の多方向可動踏み板。
【請求項３】
　上記基座の柱体は、円柱体でもよく、上記円柱体は外周にネジ山を有し、上記結合座は環状体で、内壁面上に上記円柱体の上記ネジ山とネジ結合できるネジ溝を有することにより、上記結合座を上記円柱体外周上に設置し、上記結合座は上記円柱体外周を回転することにより上下に移動し、上記結合座を上下に移動させることにより、上記結合座及び上記受け座を連結する上記弾力性ロープの弾力を調整することを特徴とする請求項２記載の多方向可動踏み板。
【請求項４】
　上記結合座は内部に１つの挿入棒を有し、上記結合座は外壁及び内壁を貫通する１つの横向貫通孔を有し、上記横向貫通孔は１つの拡孔部を有し、上記挿入棒は１つの頭拡部を有し、上記挿入棒は上記横向貫通孔内に設置され、上記頭拡部は上記拡孔部内を可動すると共に、上記頭拡部と上記拡孔部内壁との間に１つのばねが設置されることにより、上記頭拡部は内側方向である上記ネジ山の方向に圧力がかかり、
　上記基座の上記円柱体上に外壁及び内壁を貫通する１つの固定溝を設けることにより、上記結合座が回転し、上記挿入棒と上記固定溝が相対するとき、上記挿入棒の上記頭拡部が上記固定溝内に嵌まり、上記結合座を固定することを特徴とする請求項３記載の多方向可動踏み板。
【請求項５】
　上記受け座の上記突起体は、Ｕ型溝の形状でもよく、上記Ｕ型溝に上記結合座の上記弾力性ループをひっかけることにより、連結させることを特徴とする請求項２乃至４いずれか一項記載の多方向可動踏み板。
【請求項６】
　上記受け座及び上記結合座は間隔を開けて、配列した相対する位置にそれぞれロープ貫通孔を有し、上記ロープ貫通孔を各一本の弾力性ロープにより連結させることを特徴とする請求項２乃至５いずれか一項記載の多方向可動踏み板。
【考案の詳細な説明】
【技術分野】
【０００１】
　本考案は多方向可動踏み板に係るものであり、特に、結合座及び踏み板の間に連結される受け座のそれぞれの結合座及び踏み板との連結部分が弾力連結され、垂直方向の左右昇降及び水平方向の時計、反時計方向の回転動作を行なうことができる多方向可動踏み板に係るものである。
【背景技術】
【０００２】
　従来の踏み板は、一種の運動補助用品として用いられている。図１０は、従来の踏み板を示す斜視図である。図１０に示すように従来の踏み板は、一般的にはある程度の高さのある箱体で構成されている。箱体の形は１つの箱型、或は１つの階段型で形成されている。このような箱体を用いて使用者が階段を乗り降りすることにより、運動効果を得ることができる。また、従来の踏み板は、固定式の構造形態である場合がほとんどである。
【考案の開示】
【考案が解決しようとする課題】
【０００３】
　しかしながら、従来の踏み板は、使用者が昇り降りの運動以外の目的には使用することができず、従って、その他の運動効果を得ることができないという問題点があった。また、業者はこのような構造形態の延長線上で商品開発を続ければ、新しいアイデアに乏しくなり、競争相手に優位に立つことが難しくなると共に、使用者からの支持を得られなくなり、購買意欲も減退してしまうという問題点があった。
【０００４】
　本考案は、多方向可動踏み板において、踏み板を用いて運動を行う際に、様々な運動効果を得ることができ、使用者の購買意欲を増進させることができる多方向可動踏み板を提供することを目的とする。
【課題を解決するための手段】
【０００５】
　前記の目的を図るために、本考案は、基座と、結合座と、受け座と、踏み板とを有し、上記基座は、１組の著地ロッドと柱体とからなり、上記柱体は、上記著地ロッド上に固定設置され、上記結合座は上記柱体上端に設置され、上端に上記受け座を設置可能であり、上記踏み板は上記受け座の上端面に固定設置され、上記結合座及び上記踏み板の間に連結される上記受け座のそれぞれの上記結合座及び上記踏み板との連結部分が弾力連結体により弾力連結され、垂直方向の左右昇降及び水平方向の時計、反時計方向の回転動作を行なうことが可能であり、弾力連結の反作用により回復力を具備することを特徴とする。
【０００６】
　また、前記の目的を図るために、本考案は、上記弾力連結体は弾力性ロープでもよく、上記結合座上端面には間隔を開けて配列した上記弾力性ロープを貫通させる数個の貫通孔を有し、上記貫通孔に１つの上記弾力性ロープを上下交互に貫通させることにより、上記結合座の上端面に間隔を開けて配列した数個の逆Ｕ型の弾力性ループを有し、上記受け座が外周に間隔を開けて、数個の突起体を有し、各上記突起体にそれぞれ上記結合座上の各上記弾力性ループが掛けられることにより、上記結合座と連結されることを特徴とする。
【０００７】
　また、前記の目的を図るために、本考案は、上記基座の柱体は、円柱体でもよく、上記円柱体は外周にネジ山を有し、上記結合座は環状体で、内壁面上に上記円柱体の上記ネジ山とネジ結合できるネジ溝を有することにより、上記結合座を上記円柱体外周上に設置し、上記結合座は上記円柱体外周を回転することにより上下に移動し、上記結合座を上下に移動させることにより、上記結合座及び上記受け座を連結する上記弾力性ロープの弾力を調整することを特徴とする。
【０００８】
　また、前記の目的を図るために、本考案は、上記結合座は内部に１つの挿入棒を有し、上記結合座は外壁及び内壁を貫通する１つの横向貫通孔を有し、上記横向貫通孔は１つの拡孔部を有し、上記挿入棒は１つの頭拡部を有し、上記挿入棒は上記横向貫通孔内に設置され、上記頭拡部は上記拡孔部内を可動すると共に、上記頭拡部と上記拡孔部内壁との間に１つのばねが設置されることにより、上記頭拡部は内側方向である上記ネジ山の方向に圧力がかかり、上記基座の上記円柱体上に外壁及び内壁を貫通する１つの固定溝を設けることにより、上記結合座が回転し、上記挿入棒と上記固定溝が相対するとき、上記挿入棒の上記頭拡部が上記固定溝内に嵌まり、上記結合座を固定することを特徴とする。
【０００９】
　また、前記の目的を図るために、本考案は、上記受け座の上記突起体は、Ｕ型溝の形状でもよく、上記Ｕ型溝に上記結合座の上記弾力性ループをひっかけることにより、連結させることを特徴とする。
【００１０】
　また、前記の目的を図るために、本考案は、上記受け座及び上記結合座は間隔を開けて、配列した相対する位置にそれぞれロープ貫通孔を有し、上記ロープ貫通孔を各一本の弾力性ロープにより連結させることを特徴とする。
【考案の効果】
【００１１】
　本考案の多方向可動踏み板において、基座と、結合座と、受け座と、踏み板とを有し、基座は１組の著地ロッドと柱体とからなり、柱体は著地ロッド上に固定設置され、結合座は柱体上端に設置され、上端に受け座を設置可能であり、踏み板は受け座の上端面に固定設置され、結合座及び踏み板の間に連結される受け座のそれぞれの結合座及び踏み板との連結部分が弾力連結体により弾力連結され、垂直方向の左右昇降及び水平方向の時計、反時計方向の回転動作を行なうことが可能であり、弾力連結の反作用により回復力を具備することにより、踏み板を用いて運動を行う際に、様々な運動効果を得ることができ、使用者の購買意欲を増進させることができる。
【考案を実施するための最良の形態】
【００１２】
　以下に添付図面を参照して本考案のある好適な実施の形態を詳細に説明するが、それらの構成は本考案の構造の絶対的な制限にならない。図１は、本考案の第１実施例に係る多方向可動踏み板を示す分解斜視図である。図２は、本考案の多方向可動踏み板を組み合わせた状態を示す斜視図である。図１、２に示す本考案である多方向可動踏み板の構造において、踏み板は１つの基座１０と１つの結合座２０と１つの受け座３０と１つの踏み板４０とで構成されている。基座１０は、１組の著地ロッド１１上に１つの円柱体１２を有し、円柱体１２は外周面上にネジ山１３を有する。結合座２０は、１つの環状体で内壁面上に円柱体１２のネジ山１３とネジ結合できるネジ溝２１を有する。結合座２０は、円柱体１２外周を回転することにより、上下に移動することができ、又、上端に間隔を開けて、配列した弾力性ロープ２３を貫通させることができる貫通孔２２を有する。
【００１３】
　また、貫通孔２２に１つの上記弾力性ロープ２３を上下交互に貫通させることにより、結合座２０の上端面に間隔を開けて配列した数個の逆Ｕ型の弾力性ループ２３１を有する。受け座３０は結合座２０の上端面に設置され、外周に間隔を開けて、数個の突起体３１が設けられている。各突起体３１には、それぞれ結合座２０上の各弾力性ループ２３１が掛けられることにより、結合座２０と連結される。踏み板４０は、ボルト４１及びナット４２により、受け座３０の上端面に固定設置される。
【００１４】
　図３は、本考案の多方向可動踏み板を組み合わせた状態を示す断面図である。図４（Ａ）、（Ｂ）は、本考案の多方向可動踏み板の垂直方向への左右昇降動作を説明するための図である。図５（Ａ）、（Ｂ）は、本考案の多方向可動踏み板の水平方向への時計、反時計方向の回転動作を説明するための図である。図６は、本考案の挿入俸を嵌合した状態を示す断面図である。図７は、本考案の挿入俸を離脱させた状態を示す断面図である。図１、６に示すように、結合座２０内部に１つの挿入棒５０が設置される。また、図６、７に示すように、結合座２０は１つの横向貫通孔２４を有する。横向貫通孔２４は、１つの拡孔部２４１を有し、挿入棒５０は１つの頭拡部５１を有する。挿入棒５０は横向貫通孔２４内に設置され、頭拡部５１は拡孔部２４１内を可動することができるが、頭拡部５１と拡孔部２４１内壁との間に１つのばね５２が設置されることにより、頭拡部５１は常にネジ山１３の方向(即ち、内側方向)に圧力がかかる。
【００１５】
　また、基座１０の円柱体１２上に１つの固定溝１４を設けることにより、結合座２０が回転し、挿入棒５０と固定溝１４が相対する時、挿入棒５０の頭拡部５１が固定溝１４内に嵌まり、結合座２０が固定される。反対に、使用者が結合座２０を回転させる時は、図７に示すように挿入棒５０を外側から引っ張り、頭拡部５１を円柱体１２の固定溝１４から離脱させることにより、結合座２０を回転させることができる（即ち、調整することができる）。
【００１６】
　図８は、本考案の第２実施例に係る多方向可動踏み板を示す斜視図である。図８に示すように、受け座３０の突起体３１は、Ｕ型溝３２の形状でもよく、Ｕ型溝３２に結合座２０の弾力性ループ２３１をひっかけることにより、結合座２０及び受け座３０を連結させることができる。
【００１７】
　図９は、本考案の第３実施例に係る多方向可動踏み板を示す斜視図である。図９に示すように、受け座３０及び結合座２０は、間隔を開けて配列された相対する位置にそれぞれロープ貫通孔３３、２５を有し、相対するロープ貫通孔３３、２５を別々に弾力性ロープ２３０により連結させることもできる。
【００１８】
　各弾力性ループ２３１及び各突起体３１の弾力性連結により、回復力を具備する踏み板４０上で、使用者は踏み板４０の上に立ち、垂直方向の左右昇降（図４）及び水平方向の時計、反時計方向の回転動作（図５）を含む各種運動を行なうことができる。
【００１９】
　本考案の弾力性ロープ２３、２３０の弾力性回復力の強度は調節することができる。例えば、弾力性ロープ２３、２３０の弾力性回復力の強度を強くしたい時は、挿入棒５０をひっぱり、固定溝１４から離脱させることにより、結合座２０を回転させることができ、結合座２０を（回転させながら)下方に移動させれば移動させるほど、結合座２０と受け座３０の間の距離は長くなり、結合座２０の弾力性ループ２３１は締め付けられる為、回復力を強くさせることができる。反対に、結合座２０を上方向に移動させれば、回復力を弱くさせることができる。
【００２０】
　このように、本考案の多方向可動踏み板は、結合座２０及び踏み板４０の間に連結される受け座３０のそれぞれの結合座２０及び踏み板４０との連結部分が弾力連結される多方向可動踏み板の構造を提供することができる。
【００２１】
　また、本考案の多方向可動踏み板は、従来の単一機能しか有しない固定式踏み板の欠点を改善し、垂直方向の左右昇降及び水平方向の時計、反時計方向の回転動作を行なうことができ、弾力連結の反作用により、回復力を具備する構造により、多方向可動踏み板を提供することができ、使用者が踏み板を用いて運動を行う際に、様々な運動を行なうことができ、使用者の購買意欲を増進させることができる。
【００２２】
　また、本考案の多方向可動踏み板は、結合座２０は円柱体１２外周を回転することにより、上下に移動することができ、結合座２０を上下に移動させることにより、弾力性ロープ２３、２３０の回復力を調節することができる。
【００２３】
　また、本考案の多方向可動踏み板は、結合座２０は内部に挿入棒５０を具備することにより、円柱体１２の固定溝１４と結合座２０を固定し、踏み板４０につられて、結合座２０が一緒に回転するのを防止することができる。
【００２４】
　尚、本考案の多方向可動踏み板は上記の構成に限定されることなく、本考案の多方向可動踏み板を変形及び改良した構成においても適応可能である。
【図面の簡単な説明】
【００２５】
【図１】本考案の第１実施例に係る多方向可動踏み板を示す分解斜視図である。
【図２】本考案の多方向可動踏み板を組み合わせた状態を示す斜視図である。
【図３】本考案の多方向可動踏み板を組み合わせた状態を示す断面図である。
【図４】本考案の多方向可動踏み板の垂直方向への左右昇降動作を説明するための図である。
【図５】本考案の多方向可動踏み板の水平方向への時計、反時計方向の回転動作を説明するための図である。
【図６】本考案の挿入俸を嵌合した状態を示す断面図である。
【図７】本考案の挿入俸を離脱させた状態を示す断面図である。
【図８】本考案の第２実施例に係る多方向可動踏み板を示す斜視図である。
【図９】本考案の第３実施例に係る多方向可動踏み板を示す斜視図である。
【図１０】従来の踏み板を示す斜視図である。
【符号の説明】
【００２６】
　１０　　　　　　　基座
　１１　　　　　　　著地ロッド
　１２　　　　　　　円柱体
　１３　　　　　　　ネジ山
　１４　　　　　　　固定溝
　２０　　　　　　　結合座
　２１　　　　　　　ネジ溝
　２２　　　　　　　貫通孔
　２３、２３０　　　弾力性ロープ
　２４　　　　　　　横向貫通孔
　３０　　　　　　　受け座
　３１　　　　　　　突起体
　３２　　　　　　　Ｕ型溝
　３３、２５　　　　ロープ貫通孔
　４０　　　　　　　踏み板
　４１　　　　　　　ボルト
　４２　　　　　　　ナット
　５０　　　　　　　挿入棒
　５１　　　　　　　頭拡部
　２３１　　　　　　弾力性ループ
　２４１　　　　　　拡孔部
【図１】
0003099434.tif 000003
【図２】
0003099434.tif 000004
【図３】
0003099434.tif 000005
【図４】
0003099434.tif 000006
【図５】
0003099434.tif 000007
【図６】
0003099434.tif 000008
【図７】
0003099434.tif 000009
【図８】
0003099434.tif 000010
【図９】
0003099434.tif 000011
【図１０】
0003099434.tif 000012